(57)【要約】【課題】  生産者から短い日数でかつ比較的安価に花卉類を提供できる花卉類の販売システムを提供する。【解決手段】    花卉販売管理装置と、前記花卉販売管理装置と回線を通じて接続される購入者側端末と、配送者側の端末とから構成され、花卉情報管理手段の情報に基づいて花卉を販売し、購入者側の端末への配送指示を行う花卉の販売システムであって、前記花卉販売管理装置は、花卉の情報と、前記購入者側の端末に関する情報と、前記購入者側へ花卉を配送するための配送情報を格納する格納手段と、前記格納手段に格納した花卉の情報を前記端末に表示させる花卉情報検索手段と、前記購入者の情報と，前記購入者が購入した花卉に関する情報と、前記配送者の配送情報に基づいて配送指示書を作成する配送指示を行う配送指示手段と、前記各端末と通信するための通信手段とを備える。【選択図】      図１
2007108808.tif 000002
【特許請求の範囲】
【請求項１】
花卉販売管理装置と、前記花卉販売管理装置と回線を通じて接続される購入者側端末と、配送者側の端末とから構成され、前記花卉情報管理手段の情報に基づいて１又は複数の花卉を販売し、購入者側の端末への配送指示を行う花卉の販売システムであって、
前記花卉販売管理装置は、
少なくとも花卉の種類、花卉の生産日、花卉の価格及び花卉の出荷期限を含む花卉の情報と、前記購入者側の端末に関する情報と、前記購入者側へ花卉を配送するための配送情報を格納する格納手段と、
前記格納手段に格納した花卉の情報を前記端末に表示させる花卉情報検索手段と、
前記購入者の情報と，前記購入者が購入した花卉に関する情報と、前記配送者の配送情報に基づいて配送指示書を作成する配送指示を行う配送指示手段と、
前記各端末と通信するための通信手段とを備え、
前記端末が、回線を通じて前記花卉販売管理装置にアクセスすると、前記花卉販売管理装置は、前記受注者管理手段を参照し、前記端末が発注者側端末に登録されている場合、前記花卉に関する情報を前記端末に表示し、
前記端末は、表示された花卉に関する情報に基づいて１又は複数の花卉の発注情報を前記花卉販売管理装置に送信すると、前記花卉販売管理装置は、
花卉の発注情報、前記購入者側の端末に関する情報及び前記配送情報に基づいて配送指示情報を作成し、配送指示情報を配送側の端末に送信するとともに、前記端末に配送指示情報を前記発注者側端末に送信する、
ことを特徴とする花卉の販売システム。
【請求項２】
前記端末が、回線を通じて前記花卉販売管理装置にアクセスすると、記花卉に関する情報に加えて、前記配送に関する情報も表示することを特徴とする請求項１に記載の花卉の販売システム。
【請求項３】
前記花卉の販売システムは、更に花卉を生産する生産者側の端末と回線を通じて接続されていることを特徴とする、請求項１又は請求項２に記載の花卉の販売システム。
【請求項４】
前記花卉販売管理装置は、前記花卉情報表管理・表示手段における前記花卉情報に応じて、前記生産者側の端末に花卉の発注を行うことを特徴とする請求項３に記載の花卉の販売システム。
【請求項５】
前記花卉販売管理装置は、前記花卉情報表管理・表示手段における前記花卉情報から前記端末により発注された花卉の発注情報を前記生産者側の端末に送信することを特徴とする。請求項３又は請求項４に記載の花卉の販売システム。
【請求項６】
前記花卉販売管理装置は、前記花卉情報表管理・表示手段における前記花卉情報から前記端末により発注された花卉の発注情報に基づいて花卉の発注を前記生産者側の端末に送信することを特徴とする。請求項３から請求項５のいずれか１項に記載の花卉の販売システム。
【発明の詳細な説明】
【技術分野】
【０００１】
本発明は、花卉の販売システムに関する。より詳しく述べると鉢物又は切花を多品種の花卉類を小ロットで販売可能な花卉の販売システムに関する。
【背景技術】
【０００２】
従来、例えば、多数の店舗を有するチェーン店で鉢物、切花などの花卉を購入する場合、花市場から配送センターで一括購入し、各店舗に振り分けられているのが現状である。
【０００３】
この場合、花市場は、各花卉類の生産者の所に花卉類を集荷し、集荷した花卉類を花市場まで輸送する。次いで、花市場は、商品を区分けして、値付けなどの配送準備を行う。そして、配送センターに花卉類を配送している。
配送センターでは、花市場から到着した花卉類を区分けして各チェーン店舗毎に配送する花卉類を組み分け（アソートし）、アソートした花卉類を各チェーン店舗に配送する仕組みをとっている。
【０００４】
この方法では、多数の商品を一括して集め、そして所定の発注単位でチェーン店の配送センターに送り、そこから必要な商品毎に分類して各チェーン店舗に配送するので、各花卉類の原価に加わる費用が安価になるという利点を有している。
【０００５】
しかしながら、従来の方法では、花卉類の集荷に要する日数、花市場での配送準備に要する日数、配送センターへ配送する日数、配送センターから各チェーン店舗に配送するまでの日数と、生産者側から各チェーン店舗に到着するトータルの日数がかかる。
【０００６】
そのため、例えば特許文献１には、切り花の注文を注文受付窓口で受付け、切り花納品業者が前記注文された切り花を消費者に納品する切り花流通方法において、前記注文受付窓口では、１社または２社以上の切り花納品業者が提供する切り花の商品をカタログあるいはパンフレットにより消費者に公開し、消費者からの注文を受け付ける工程と、消費者からの切り花の注文情報を、該切り花を提供する切り花納品業者に連絡する工程とを使用し、前記切り花の納品業者では、予め産地から直接又は市場を通して仕入れた各種の切り花に鮮度保持処理を施す鮮度保持処理工程と、鮮度保持処理を施した切り花の在庫管理を行う在庫管理工程と、前記注文受付窓口から送られた注文情報に基づき、所望の切り花を調製し、鮮度保持剤を添付して出荷する切り花出荷工程と、前記切り花を消費者が指定する場所及び日時に、切り花の温度管理を行った状態で輸送し、消費者に届ける宅配工程と、消費者に納品する切り花に対して、所定の期間の開花鮮度保証を行う鮮度保証工程とを使用することを特徴とする切り花流通方法が記載されている。
【特許文献１】特開２００２-１０４９０３号公報（請求項１、図１）。
【発明の開示】
【発明が解決しようとする課題】
【０００７】
しかしながら、この方法では、生産者からの到着日数を短縮することは可能となるものの、少ない出荷単位の場合には配送料金、配送までの各種手間賃などの種々の経費がかかり、安価に花卉類を提供することができない。
【０００８】
そのため、出荷単位をある程度まとめると、必要のない花卉類まで購入することとなる。
【０００９】
従って、本発明の課題は、生産者から短い日数でかつ比較的安価に花卉類を提供できる花卉類の販売システムを提供することである。
【課題を解決するための手段】
【００１０】
上記課題を解決する本発明は、
（１）  花卉販売管理装置と、前記花卉販売管理装置と回線を通じて接続される購入者側端末と、配送者側の端末とから構成され、前記花卉情報管理手段の情報に基づいて１又は複数の花卉を販売し、購入者側の端末への配送指示を行う花卉の販売システムであって、
前記花卉販売管理装置は、
少なくとも花卉の種類、花卉の生産日、花卉の価格及び花卉の出荷期限を含む花卉の情報と、前記購入者側の端末に関する情報と、前記購入者側へ花卉を配送するための配送情報を格納する格納手段と、
前記格納手段に格納した花卉の情報を前記端末に表示させる花卉情報検索手段と、
前記購入者の情報と，前記購入者が購入した花卉に関する情報と、前記配送者の配送情報に基づいて配送指示書を作成する配送指示を行う配送指示手段と、
前記各端末と通信するための通信手段とを備え、
前記端末が、回線を通じて前記花卉販売管理装置にアクセスすると、前記花卉販売管理装置は、前記受注者管理手段を参照し、前記端末が発注者側端末に登録されている場合、前記花卉に関する情報を前記端末に表示し、
前記端末は、表示された花卉に関する情報に基づいて１又は複数の花卉の発注情報を前記花卉販売管理装置に送信すると、前記花卉販売管理装置は、
花卉の発注情報、前記購入者側の端末に関する情報及び前記配送情報に基づいて配送指示情報を作成し、配送指示情報を配送側の端末に送信するとともに、前記端末に配送指示情報を前記発注者側端末に送信する、
ことを特徴とする花卉の販売システム。
（２）  前記端末が、回線を通じて前記花卉販売管理装置にアクセスすると、記花卉に関する情報に加えて、前記配送に関する情報も表示することを特徴とする（１）に記載の花卉の販売システム。
【００１１】
（３）  前記花卉の販売システムは、更に花卉を生産する生産者側の端末と回線を通じて接続されていることを特徴とする、（１）又は（２）に記載の花卉の販売システム。
（４）  前記花卉販売管理装置は、前記花卉情報表管理・表示手段における前記花卉情報に応じて、前記生産者側の端末に花卉の発注を行うことを特徴とする（３）に記載の花卉の販売システム。
（５）  前記花卉販売管理装置は、前記花卉情報表管理・表示手段における前記花卉情報から前記端末により発注された花卉の発注情報を前記生産者側の端末に送信することを特徴とする。請求項（３）又は（４）に記載の花卉の販売システム。
（６）  前記花卉販売管理装置は、前記花卉情報表管理・表示手段における前記花卉情報から前記端末により発注された花卉の発注情報に基づいて花卉の発注を前記生産者側の端末に送信することを特徴とする。（３）から（５）のいずれか１項に記載の花卉の販売システム。
【発明の効果】
【００１２】
本発明の販売システムによると、生産者から短い日数でかつ比較的安価に花卉類を提供できる花卉類の販売システムを提供することが可能となる。
【発明を実施するための最良の形態】
【００１３】
以下、本発明を添付図面に基づいて詳細に説明する。
（第一実施形態）
まず、本発明の第一実施形態を図１〜図３に基づいて説明する。
図１は、本発明の第一実施形態に係る花卉の販売システムの構成を示す図面であり、図２は、花卉販売管理装置の構成を示す図面であり、図３は花卉販売管理装置における花卉情報管理・表示手段で管理する花卉情報の一例を示す図面である。
【００１４】
図１に示す通り、本発明の花卉の販売システムは、花卉販売管理装置Ｓと花卉販売管理装置Sと回線、例えばインターネット回線を通じて接続される購入者側端末Ｔ０１、Ｔ０２、Ｔ０３・・・と、配送者側端末Ｔ１１とから主として構成されており、購入者側端末Ｔ０１、Ｔ０２、Ｔ０３・・・から回線を通じて花卉販売管理装置Sにアクセスすると、花卉販売管理装置Ｓは、販売可能な花卉の情報を端末Ｔ０１、Ｔ０２、Ｔ０３・・・に表示する。
購入者側端末Ｔ０１、Ｔ０２、Ｔ０３・・・は、販売可能な花卉の情報に基づいて購入する花卉の種類及び量を決定して、購入情報を花卉販売管理装置Ｓに送信する。
購入情報を受信すると、花卉販売管理装置Ｓは、購入情報、端末の情報に基づいて配送情報を作成して配送者側の端末に送信して配送指示を行う仕組みである。
【００１５】
本発明の花卉販売管理システムＳは、図２に示す通り、少なくとも花卉の種類、花卉の生産日、花卉の価格及び花卉の出荷期限を含む花卉の情報と、前記購入者側の端末に関する情報と、前記購入者側へ花卉を配送するための配送情報を格納する格納手段１０と、前記格納手段に格納した花卉の情報を前記端末に表示させる花卉情報検索手段１１と、前記購入者の情報と、前記購入者が購入した花卉に関する情報と、前記配送者の配送情報に基づいて配送指示書を作成する配送指示を行う配送指示手段１２と、前記各端末と通信するための通信手段１３とを備えたコンピュータシステムである。
【００１６】
花卉販売管理システムＳとして使用されるコンピュータシステムは、図示しない中央演算子（ＣＰＵ）、メモリ等の一時記憶手段、ハードディスク等のデータ格納手段等から主として構成され、コンピュータシステムを動作させるためのソフトウェアであるオペレーティングシステムが導入されている。
【００１７】
格納手段１０は、一般にコンピュータ可読媒体から構成されたメディア、例えばハードディスクであり、図３に示す通り、前記格納手段１０には、花卉の情報を格納した花卉情報データベースＤＢ１と、購入者側の端末に関する情報を格納した購入者端末データベースＤＢ２と、配送情報データベースＤＢ３とが格納されている。
【００１８】
花卉情報データベースＤＢ１は、花卉の種類（花卉名、色、形状（大きさ）、出荷単位）、花卉の生産日、花卉の価格、花卉の出荷期限、生産者等の花卉情報をテーブルで管理するデータベースであり、後述する花卉情報検索手段１１により、端末Ｔ０１、Ｔ０２、Ｔ０３・・・（図１参照）からの要求に応じて、花の種類別、花の色別、大きさ別、価格別などの情報を並べ替えて、端末Ｔ０１、Ｔ０２、Ｔ０３・・・に花卉情報を表示させる。
【００１９】
購入者端末データベースＤＢ２は、花卉販売管理システムＳにアクセスするためのＩＤ情報、パスワード情報とともに、購入者側の端末Ｔ０１、Ｔ０２、Ｔ０３・・・に配送するための情報（住所、電話番号）、配送地域などを表形式で保存するデータベースである。
【００２０】
なお、通信手段１３としては、当該技術分野に周知の通信手段であれば特に限定されるものではなく、モデム、ＴＡ、ルータなどが挙げられる。
【００２１】
配送情報データベースＤＢ３は、端末Ｔ０１、Ｔ０２、Ｔ０３・・・からの購入情報の送信に基づいて、配送指示を作成するのに必要な情報、すなわち、運送業者の集荷情報（集荷日時）、地域毎若しくは地区毎の配送日数に関する情報等を表形式で保存するデータベースである。
【００２２】
このように、本発明の花卉販売管理装置Ｓは、その格納手段１０に花卉情報データベースＤＢ１と、購入者端末データベースＤＢ２と、配送情報データベースＤＢ３とが格納されているが、このような格納された情報を花卉情報検索手段１１により、検索を行い、また配送指示手段１２により配送指示を行って、後述する端末Ｔ０１、Ｔ０２、Ｔ０３・・・からの購入情報に基づいて、配送指示を作成する。
【００２３】
購入者側の端末Ｔ０１、Ｔ０２、Ｔ０３・・・（図１参照）は、通信手段を介して従来公知の方法で花卉情報管理装置Ｓにアクセスして、花卉情報管理装置Ｓの情報に基づいて所望の花卉を購入するための端末である。この購入者側の端末Ｔ０１、Ｔ０２、Ｔ０３・・・は、例えば花屋等の小売店に配置してある端末であり、パーソナルコンピュータ、ＰＤＡ等の通信手段及び情報検索手段、情報表示手段を備えた一般に普及している端末から構成される。
【００２４】
配送者側の端末Ｔ１０（図１参照）は、配送者、例えば配送センターに設置された端末であり、例えば通信手段、情報検索手段及び情報検索手段を備えた一般に普及しているパーソナルコンピュータシステムである。
配送者側の端末Ｔ１０は、購入者側の端末Ｔ０１、Ｔ０２、Ｔ０３・・・から所望とする花卉の発注情報が送信された際に、配送準備及び配送手配を行う配送指示を受信するための端末である。
【００２５】
なお、図１に示す実施形態では、花卉情報管理手段Ｓと配送者側の端末Ｔ１０とは専用回線で接続されているが、インターネットなどの回線で接続されることも可能であり、さらには、例えば花卉販売管理装置側が配送センターを兼ね備える場合には、花卉販売管理装置Ｓが配送者側の端末Ｔ１０を兼ね備えることもできる。
この場合には花卉情報管理手段Ｓは、購入者側の端末Ｔ０１、Ｔ０２、Ｔ０３・・・から所望とする花卉の発注情報が送信された際に、配送準備及び配送手配を行う配送指示を出力する。
【００２６】
以上、本発明の第一実施形態に係る花卉の販売システムの構成を説明したが、次にこのように構成された本発明の第一実施形態に係る花卉の販売システムの動作を説明する。
まず、購入者側の端末Ｔ０１、Ｔ０２、Ｔ０３・・・（図１参照）は、通信手段を介して従来公知の方法で花卉情報管理装置Ｓにアクセスする。
【００２７】
購入者側の端末Ｔ０１、Ｔ０２、Ｔ０３・・・からアクセスを受けると、花卉情報管理装置Ｓは、図３に示す購入者側端末データベースＤＢ２を参照して、ログインの可否を決定する。
なお、新規に購入者側の端末を設定する場合には、従来公知の方法で登録を行う。
【００２８】
購入者側の端末Ｔ０１、Ｔ０２、Ｔ０３・・・が正規のアクセスである場合には、花卉情報管理装置Ｓは、その端末Ｔ０１、Ｔ０２、Ｔ０３・・・ログインを許可して、図３に示す花卉情報データベースＤＢ１に基づいて、購入者側の端末Ｔ０１、Ｔ０２、Ｔ０３・・・に表示させる花卉情報を作成して購入者側の端末Ｔ０１、Ｔ０２、Ｔ０３・・・に表示させる。
なお、表示情報は、例えば、従来公知の方法、例えばＨＴＭＬ形式で作成されたＩｎｄｅｘファイルを花卉情報データベースＤＢ１又はそのサブセットファイルにリンクさせて表示することによって達成できる。
【００２９】
花卉情報管理装置Ｓから花卉情報が送信されると、購入者側の端末Ｔ０１、Ｔ０２、Ｔ０３・・・は、花卉情報に基づいて、購入する花卉及びその量を決定して、決定した情報を購入指示情報として花卉情報管理装置Ｓに送信する。
このような購入指示情報の作成方法は、従来公知の方法、例えばインターネット上での商品売買システムに一般に用いられている方法（カート、買い物かごなどの利用、購入確認の返信）によって行うことができ、このような目的が達成されれば特に限定されるものではない。
【００３０】
なお、花卉情報管理装置Ｓは、アクセスした端末の情報から、購入者端末データベースＤＢ２に基づいて、購入者側の端末Ｔ０１、Ｔ０２、Ｔ０３・・・の地域（配送地域）を特定し、配送情報データベースＤＢ３の情報から配送日（又は到着日）を花卉情報とともに表示する構成とすることも可能である。
このように構成すると、各花卉の情報、その在庫情報とともに、購入した商品の到着情報を予め知ることが可能となる。
【００３１】
花卉情報管理装置Ｓは、購入者側の端末Ｔ０１、Ｔ０２、Ｔ０３・・・から購入指示情報指示情報を受信すると、購入指示情報、購入者端末データベースＤＢ２に基づいて配送指示を配送者側端末Ｔ１０及び購入者側の端末Ｔ０１、Ｔ０２、Ｔ０３・・・に送信する。なお、購入者側の端末Ｔ０１、Ｔ０２、Ｔ０３・・・への配送指示は、従来の受注確認書に相当するものである。
なお、購入指示情報中に、購入者の住所、電話番号、配送希望日時に関する情報を付加して端末Ｔ０１、Ｔ０２、Ｔ０３・・・から花卉情報管理装置Ｓに送信する構成とすることも可能である。
【００３２】
配送指示を受けると、配送者側端末Ｔ１１は、配送指示に基づいて配送準備、配送車両へ手配などの配送業務を行う。
【００３３】
花卉情報管理システムＳは、配送指示情報を配送者側端末Ｔ１０及び購入者側の端末Ｔ０１、Ｔ０２、Ｔ０３・・・に送信した後、花卉情報データベースＤＢ１を修正して（購入した数を差し引いて）、保存して終了する。
【００３４】
以上、説明した通り、本発明の第一実施形態に係る花卉の販売システムは、購入者側の端末から花卉の受注を受けるとそのまま配送センター等に設置した配送者側の端末に配送指示を出すので短期間で花卉を購入者側へ配送することが可能となる。また、配送センター等に設置した配送者側の端末を介して花卉を配送するので、発注の単位も少数ですむ。
【００３５】
なお、本発明の好ましい実施形態において、配送単位（例えば、ダンボール、ケースなど）を初期画面（購入者側の端末Ｔ０１、Ｔ０２、Ｔ０３・・・が花卉情報管理装置Ｓにアクセスされた際に表示される花卉の情報を表示する画面）又は購入画面に表示し、購入する商品の寸法、量に応じて、配送単位を表示する構成にすることも可能である。
このように構成することによって、単位花卉当たりの配送量を抑えることも可能となる。
【００３６】
更に、所望に応じて、各購入者側の端末Ｔ０１、Ｔ０２、Ｔ０３・・・により購入指示のあった花卉の情報を集計して、いわゆる売れ筋商品、人気商品の情報を各購入者側の端末Ｔ０１、Ｔ０２、Ｔ０３・・・に別途配信又は初期画面に表示することも可能である。
【００３７】
（第二実施形態）
次に、本発明の第二実施形態を図４に基づいて説明する。
図４は、本発明の第二実施形態に係る花卉の販売システムの構成を示す図面である。
【００３８】
本実施形態は、図１〜図３に示す第一実施形態に係る花卉の販売システムに加えて、更に生産者側の端末Ｔ２１、Ｔ２２・・・を加えた以外は、第一実施形態に係る花卉の販売システムと同一の構成である。従って、重複説明を避けるために、生産者側の端末Ｔ２１、Ｔ２２についてのみ記載する。
【００３９】
図４に示す通り、第二実施形態に係る花卉の販売システムは、花卉情報管理システムＳ、購入者側の端末Ｔ０１、Ｔ０２、Ｔ０３、配送者側の端末Ｔ１０及び生産者側の端末Ｔ２１、Ｔ２２、Ｔ２３が回線を介して接続されている構成を有している。
【００４０】
このような構成を有することによって、例えば前記花卉販売管理装置Ｓは、前記花卉情報表管理・表示手段における前記花卉情報に応じて、例えば、各購入者側の端末Ｔ０１、Ｔ０２、Ｔ０３・・・により購入指示のあった花卉の情報を集計して、いわゆる売れ筋商品、人気商品の情報を前記生産者側の端末Ｔ２１、Ｔ２２，Ｔ２３に送信する構成にしてもよい。
【００４１】
このように構成することによって、生産者側の端末Ｔ２１、Ｔ２２，Ｔ２３では、売れ筋商品の生産の増加、配送センターへの出荷などの対策を講じることが可能である。
また、前記花卉販売管理装置Ｓは、前記花卉情報表管理・表示手段における前記花卉情報から前記端末により発注された花卉の発注情報に基づいて販売されて商品数が少なくなった商品について、前記生産者側の端末に受注情報を送信することも可能である。
【図面の簡単な説明】
【００４２】
【図１】本発明の第一実施形態に係る花卉の販売システムの構成を示す図面である。
【図２】花卉販売管理装置の構成を示す図面である。
【図３】花卉販売管理装置における花卉情報管理・表示手段で管理する花卉情報の一例を示す図面である。
【図４】本発明の第二実施形態に係る花卉の販売システムの構成を示す図面である。
【符号の説明】
【００４３】
Ｓ    花卉情報管理システム
Ｔ０１、Ｔ０２、Ｔ０３    購入者側の端末
Ｔ１０    配送者側の端末
Ｔ２１、Ｔ２２、Ｔ２３    生産者側の端末
【図１】
2007108808.tif 000003
【図２】
2007108808.tif 000004
【図３】
2007108808.tif 000005
【図４】
2007108808.tif 000006